(57)【要約】自動車の車体を保護する必要が無いとき、自動車の車体を保護する為に取り付けた物品を、車体内に電動により格納する。自動車の車体を保護する物品（１）を取り付けた、自動車の車体と同一品質の物品（２）を車体内に電動により格納する装置。この装置は、主に自動車を駐車するときに、自動車の車体を保護する物品を、自動車の車体を保護する状態に電動により装着し、走行中は自動車の車体を保護する物品を電動により格納する。
2004060725.tif 000002
【特許請求の範囲】
【請求項１】
自動車の車体を保護するために、自動車の車体に取り付けた自動車の車体を保護する物品を格納する装置。
【発明の詳細な説明】
【技術分野】    この発明は、自動車の車体を保護する必要が無い場合に、自動車の車体を保護する為に取り付けた物品を車体内部に電動により、格納する装置に関する。
【背景技術】    従来から、自動車の車体を保護するために、ゴム、金属を車体に直接取付て固定していた。
これには、次のような欠点があった。
（イ）自動車の車体を保護する物品が車体に突起し、固定されているために、必要な時と不要な時の選択ができない。
（ロ）自動車のデザインに関し、車体を保護する物品を取り付ける設計に於いてデザイン上に制約が有り、保護を必要とする部位に取り付けができない。
（ハ）このため、スーパーマーケットなどの駐車場に於いて、乗降時に、他車のドアーによる衝突事故が発生していた。
本発明は、これらの欠点を解決する為になされたものである。
【発明の開示】
自動車の車体を保護する物品を取り付けた、自動車の車体と同一品質の物品を電動により、自動車の車体内部に格納する装置。
以下、本発明の実施の形態を説明する。
（イ）自動車の車体を保護するために、自動車の車体に取り付けた自動車の車体と同一品質の物品を第１７図で示すように回転し、格納すると同時に、自動車の車体と、自動車の車体と同一の品質の物品と一体化させる構造である。
（ロ）自動車の車体と同一品質の物品を、電動により回転し、格納する構造である。
本発明は、以上のような構造でこれを使用するときは、自動車を駐車する時など車の車体を保護する必要のあるときは、自動車内のパネルスイッチ及びリモコンにより、専用のモーターを動作させる事により、自動車の車体と同一品質の物品が回転し、車体を保護する状態に固定する。
自動車の車体を保護する必要の無いときは、車体を保護するために取り付けた物品を自動車の車体内に格納する。
第１６図に示すように、自動車の側面及び前部左右、後部左右の車体の保護を必要とする部位に取り付ける。
自動車の車体を保護するために取り付けた物品を、電動により、水平移動して格納する。
従来、自動車の車体を保護する物品が車体上に突起し、固定されているために運転者が必要な時と、不要な時の選択が出来なかったが、本発明により、運転者が自動車の車体を保護する必要があるときは、自動車の車体を保護するために取り付けた物品を電動装着出来る。
又、自動車の車体を保護する必要の無いときは、格納する事が出来る。従来、自動車のデザインに関し、車体を保護する物品を取り付ける設計に於いて、デザイン上に制約が有り、保護を必要とする部位に取り付けが出来なかったが、本発明により、自動車の車体を保護する必要のある部位に取り付ける事が出来る。
又、従来のデザイン上の制約が無くなり、特に前後のバンパーのデザインが側面の車体を保護する物品と一直線にする必要が無くなり、デザインが大幅に改善される。
【図面の簡単な説明】    第１図は、この発明にかかる本発明の部分側面拡大図であり、第２図は、本発明の断面図である。
第３図、第４図、第５図、第６図、第７図、本発明の斜視図であり、第８図は、本発明の断面図である。
第９図は、本発明の斜視図であり、第１０図は、本発明の部分拡大斜視図である。
第１１図は、本発明の部分斜視図であり、第１２図は、本発明の部分斜視図である。
第１３図は、本発明の部分斜視図であり、第１４図、第１５図は、本発明の正面図である。
第１６図は、本発明の実施例図であり、第１７図は、本発明の工程図である。
【発明を実施するための最良の形態】    本発明をより詳細に説述するために、添付の図面に従ってこれを説明する。第１図は、自動車の車体と同一品質の物品２に、回転軸３と自動車の車体を保護する物品１を取付た、この発明にかかる部分拡大側面図である。この自動車の車体と同一品質の物品２は、自動車の車体を保護する物品１を、車体を保護する状態及び車体内部に格納した状態で、車体と同一又は軽量材で同一化する。また回転軸３は、自動車の車体を保護する物品１を、車体を保護する状態及び車体内部に格納する状態に電動装着する装置に接続する。この自動車の車体を保護する物品１は、ゴム、金属、プラスチックその他の各種車体を保護する物品、あるいは材質を組合わせて用いる。
第２図は、第１図で示したものを自動車の車体４に取付た状態の本発明の断面図である。第３図は、自動車の車体を保護する物品１を、車体を保護する状態に装着した状態であり、回転し格納する様子を第４図  第５図  第６図は表している。第７図、第８図、第９図は、自動車の車体を保護する物品１を、車体内部に格納した状態である。
第１０図は、回転軸３を表しており、第１１図、第１２図、第１３図は、本発明の部分斜視図である。
第１４図は、自動車の車体を保護する物品１を、車体を保護する状態の正面図であり、第１５図は、車体を保護する物品を、車体内部に格納した状態の正面図である。
第１６図は、本発明の自動車の車体を保護する物品１を格納する装置を、自動車の側面及び角に取付た本発明物品５の実施例図である。
第１７図の工程図により、自動車の車体を保護する物品を車体内部に格納する。その後、自動車の車体と同一品質の物品２を反転する事により、車体を保護する状態に装着する。
その他の実施例、自動車の車体を保護する物品を、電動により、水平移動をして格納する装置。
【産業上の利用可能性】    以上のように、本発明にかかる自動車の車体を保護する物品を格納する装置は、自動車が駐車するときに、車体を保護する物品を車体を保護する状態に装着することにより、自動車の車体の保護装置として、また、自動車の車体を保護する物品を格納することにより、突起物が無くなり安全に走行できる。さらに、従来には出来ないデザインが可能になる。
本発明の生産方法は、自動車の車体を保護する物品を取付る部分を除き、自動車の車体部品を製造する。その後、自動車の車体を保護する物品を格納する装置を取付て車体を組立て完成する。
本発明の使用方法は、自動車を駐車する時は、自動車の車体を保護する物品を格納する装置を、車内スイッチ及びリモコンで電動により反転して行う。また、走行中その他は、自動車の車体を保護する物品は格納する。
【図１】
2004060725.tif 000003
【図２】
2004060725.tif 000004
【図３】
2004060725.tif 000005
【図４】
2004060725.tif 000006
【図５】
2004060725.tif 000007
【図６】
2004060725.tif 000008
【図７】
2004060725.tif 000009
【図８】
2004060725.tif 000010
【図９】
2004060725.tif 000011
【図１０】
2004060725.tif 000012
【図１１】
2004060725.tif 000013
【図１２】
2004060725.tif 000014
【図１３】
2004060725.tif 000015
【図１４】
2004060725.tif 000016
【図１５】
2004060725.tif 000017
【図１６】
2004060725.tif 000018
【図１７】
2004060725.tif 000019
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
自動車の車体を保護する物品を格納する装置であって、
自動車の車体を保護する型に形成された第一の物品と、
自動車の車体内に位置する回転軸を囲む第二の物品と、を備え、
前記第一の物品及び前記第二の物品が、前記回転軸の周りを回転する回転体を形成するように取り付けられ、前記回転体が第一の位置及び第二の位置を有し、前記第一の位置では前記第一の物品が自動車の車体を保護するように自動車の車体から伸張しており、且つ、前記第二位置では前記第一の物品が自動車の車体内に格納されており、
そして
回転体は、前記第一の位置から前記第二の位置へとその位置を変えるために１８０度回転しなければならない、
前記装置。
【請求項２】
前記第二の物品が、自動車の車体と同一の材料で形成されている、請求項１に記載の装置。
【請求項３】
前記回転体を前記第一の位置と前記第二の位置との間で回転させる電動スイッチを更に備え、前記スイッチが自動車内に配置された、請求項１に記載の装置。
【請求項４】
前記回転体を前記第一の位置と前記第二の位置との間で回転させる電動スイッチを更に備え、前記スイッチがリモートコントローラである、請求項１に記載の装置。
【請求項５】
水平に動き且つ前記第一の物品を格納するような型に形成された装置を更に備える、請求項１に記載の装置。
【請求項６】
自動車の車体を保護する物品を格納する装置であって、
自動車の車体を保護する型に形成された第一の物品と、
自動車の車体内に位置する回転軸を囲む第二の物品と、を備え、
前記第一の物品及び前記第二の物品が、前記回転軸の周りを回転する回転体を形成するように取り付けられ、前記回転体が第一の位置及び第二の位置を有し、前記第一の位置では前記第一の物品が自動車の車体を保護するように自動車の車体から伸張しており、且つ、前記第二位置では前記第一の物品が自動車の車体内に格納されており、
そして
前記回転軸に垂直な断面図に対して、前記回転軸が前記第二の物品の中心に沿って伸張する、
前記装置。
【請求項７】
前記第二の物品が、自動車の車体と同一の材料で形成されている、請求項６に記載の装置。
【請求項８】
前記回転体を前記第一の位置と前記第二の位置との間で回転させる電動スイッチを更に備え、前記スイッチが自動車内に配置された、請求項６に記載の装置。
【請求項９】
前記回転体を前記第一の位置と前記第二の位置との間で回転させる電動スイッチを更に備え、前記スイッチがリモートコントローラである、請求項６に記載の装置。
【請求項１０】
水平に動き且つ前記第一の物品を格納するような型に形成された装置を更に備える、請求項６に記載の装置。
【国際調査報告】
2004060725.tif 000020
2004060725.tif 000021